【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
カードアプリケーションと、
前記カードアプリケーションとの間でデータ交換を行うデータ交換カードアプリケーションとを備えるセキュアデバイスであって、
前記カードアプリケーションと前記データ交換カードアプリケーションはファイヤーウォールによって隔絶され、
前記データ交換カードアプリケーションが、
前記カードアプリケーションと前記データ交換カードアプリケーションとの間の相互認証とセッション鍵の交換処理と前記セッション鍵によって暗号化するデータ通信処理とが、それぞれ、前記カードアプリケーションと専用ホスト端末との間の認証処理とデータ通信処理と同様に行われるように、前記データ交換カードアプリケーションが行う認証処理とデータ通信処理を規定するカードアプリケーションプラグインデータと、
前記認証処理に用いる認証鍵データと
を備えることを特徴とするセキュアデバイス。
【請求項２】
前記データ交換カードアプリケーションは、
外部の仲介手段がロードして、前記カードアプリケーションにアクセスし、前記データ交換を仲介する端末アプリケーションプラグインデータをさらに備え、
前記データ交換カードアプリケーションが、前記端末アプリケーションプラグインデータを前記仲介手段へ送信する
ことを特徴とする請求項１に記載のセキュアデバイス。
【請求項３】
前記カードアプリケーションがシェアラブル・インターフェイスを具備し、前記シェアラブル・インターフェイスは、前記カードアプリケーションに対してセキュアデバイスのホストインターフェイスを介して入力されるコマンドと同様の機能を提供し、前記データ交換カードアプリケーションが前記シェアラブル・インターフェイスを介して前記カードアプリケーションとデータ交換をすることを特徴とする請求項１に記載のセキュアデバイス。
【請求項４】
前記カードアプリケーションを複数備えており、それぞれのカードアプリケーションに応じた前記カードアプリケーションプラグインデータ及び認証鍵データを備えていることを特徴とする請求項１に記載のセキュアデバイス。
【請求項５】
第１の前記カードアプリケーションと第２の前記カードアプリケーションを備え、
それぞれのカードアプリケーションに応じた前記カードアプリケーションプラグインデータと認証鍵データを備え、
前記データ交換カードアプリケーションが、第１の前記カードアプリケーションとの間のデータ交換に続き、第２の前記カードアプリケーションとの間のデータ交換を行うことにより、第１の前記カードアプリケーションと第２の前記カードアプリケーションとの間のデータ交換を行うことを特徴とする請求項１に記載のセキュアデバイス。
【請求項６】
カードアプリケーションと、
他のカードアプリケーションとの間でデータ交換を行うデータ交換カードアプリケーションとを備え、前記カードアプリケーションと前記データ交換カードアプリケーションとがファイヤーウォールによって隔絶されたセキュアデバイスにおいて、
前記カードアプリケーション用の前記データ交換カードアプリケーションが行う認証処理とデータ通信処理を規定するカードアプリケーションプラグインデータと前記認証処理に用いる認証鍵データとを、前記データ交換カードアプリケーションにダウンロードすると、
前記データ交換カードアプリケーションが前記カードアプリケーションとの間で前記カードアプリケーションと専用ホスト端末とが行う認証処理とデータ通信処理と同様の処理を行い、前記カードアプリケーションとの間でデータ交換を行うことを特徴とするセキュアデバイス。
【請求項７】
他のセキュアデバイスのカードアプリケーションとの間でデータ交換を行うデータ交換カードアプリケーションと、
前記他のセキュアデバイスのカードアプリケーションと前記データ交換カードアプリケーションとの間の認証処理及びデータ通信処理が、前記他のセキュアデバイスのカードアプリケーションと専用ホスト端末との間の認証処理及びデータ通信処理と同様に行われるように、前記データ交換カードアプリケーションが行う認証処理及びデータ通信処理を規定するカードアプリケーションプラグインデータと、
前記認証処理に用いる認証鍵データと
を備えることを特徴とするセキュアデバイス。
【請求項８】
前記データ交換カードアプリケーションは、
外部の仲介手段がロードして、前記カードアプリケーションにアクセスし、前記データ交換を仲介する端末アプリケーションプラグインデータをさらに備え、
前記データ交換カードアプリケーションが、前記端末アプリケーションプラグインデータを前記仲介手段へ送信する
ことを特徴とする請求項７に記載のセキュアデバイス。
【請求項９】
第１の前記他のセキュアデバイスのカードアプリケーションに応じた前記カードアプリケーションプラグインデータ及び認証鍵データと、
第２の前記他のセキュアデバイスのカードアプリケーションに応じた前記カードアプリケーションプラグインデータ及び認証鍵データとを備え、
前記データ交換カードアプリケーションが、第１の前記他のセキュアデバイスのカードアプリケーションとの間のデータ交換に続き、第２の前記他のセキュアデバイスのカードアプリケーションとの間のデータ交換を行うことにより、第１の前記他のセキュアデバイスのカードアプリケーションと第２の前記他のセキュアデバイスのカードアプリケーションとの間のデータ交換を行うことを特徴とする請求項７に記載のセキュアデバイス。
【請求項１０】
他のセキュアデバイスのカードアプリケーションとの間でデータ交換を行うデータ交換カードアプリケーションを備えたセキュアデバイスにおいて、
前記他のセキュアデバイスのカードアプリケーションと前記データ交換カードアプリケーションとの間の認証処理及びデータ通信処理を規定するカードアプリケーションプラグインデータと前記認証処理に用いる認証鍵データとを前記データ交換カードアプリケーションにダウンロードすると、前記データ交換カードアプリケーションが、前記他のセキュアデバイスのカードアプリケーションとの間で、前記他のセキュアデバイスのカードアプリケーションと専用ホスト端末とが行う認証処理及びデータ通信処理と同様の処理を行い、前記他のセキュアデバイスのカードアプリケーションとの間でデータ交換を行うことを特徴とするセキュアデバイス。
【請求項１１】
前記データ交換カードアプリケーションが、ポイントと前記ポイントの交換処理履歴とを記録するマイレージポイント機能を備え、
前記カードアプリケーションとして、電子乗車券情報と改札履歴とを記録する電子乗車券カードアプリケーションを備え、
前記データ交換カードアプリケーションは、前記電子乗車券カードアプリケーション用の前記カードアプリケーションプラグインデータに基づき、前記電子乗車券カードアプリケーション用の前記認証鍵データを用いて前記電子乗車券カードアプリケーションと通信し、前記電子乗車券カードアプリケーションから改札履歴のデータを取得して、乗車距離に応じたポイントを算出することを特徴とする請求項１に記載のセキュアデバイス。
【請求項１２】
前記データ交換カードアプリケーションがポイントと前記ポイントの交換処理履歴を記録するマイレージポイント機能を備え、
前記カードアプリケーションとして、電子マネー残高を記録する電子マネーカードアプリケーションを備え、
前記データ交換カードアプリケーションは、前記電子マネーカードアプリケーション用の前記カードアプリケーションプラグインデータに基づき、前記電子マネーカードアプリケーション用の前記認証鍵データを用いて前記電子マネーカードアプリケーションと通信し、前記ポイントを電子マネーに変換して、前記電子マネーカードアプリケーションの電子マネー残高に加算することを特徴とする請求項１に記載のセキュアデバイス。
【請求項１３】
前記データ交換カードアプリケーションがポイントと前記ポイントの交換処理履歴を記録するマイレージポイント機能を備え、
前記カードアプリケーションとして、電子乗車券情報と改札履歴とを記録する電子乗車券カードアプリケーションと、電子マネー残高を記録する電子マネーカードアプリケーションとを備え、
前記データ交換カードアプリケーションは、前記電子乗車券カードアプリケーション用の前記カードアプリケーションプラグインデータに基づき、前記電子乗車券カードアプリケーション用の前記認証鍵データを用いて前記電子乗車券カードアプリケーションと通信し、前記電子乗車券カードアプリケーションから改札履歴のデータを取得して、乗車距離に応じたポイントを算出し、
さらに、前記電子マネーカードアプリケーション用の前記カードアプリケーションプラグインデータに基づき、前記電子マネーカードアプリケーション用の前記認証鍵データを用いて前記電子マネーカードアプリケーションと通信し、前記ポイントを電子マネーに変換して、前記電子マネーカードアプリケーションの電子マネー残高に加算することを特徴とする請求項４に記載のセキュアデバイス。
【請求項１４】
前記データ交換カードアプリケーションが、通貨の両替処理を行い両替処理履歴を記録する両替機能を備え、
前記カードアプリケーションとして、複数種類の通貨の電子マネーを管理するマルチ電子マネーカードアプリケーションを備え、
前記データ交換カードアプリケーションは、前記マルチ電子マネーカードアプリケーション用の前記カードアプリケーションプラグインデータに基づき、前記マルチ電子マネーカードアプリケーション用の前記認証鍵データを用いて前記マルチ電子マネーカードアプリケーションと通信し、前記データ交換カードアプリケーションが管理する為替レートと手数料とに基づいて複数の通貨間の両替処理を行うことを特徴とする請求項１に記載のセキュアデバイス。
【請求項１５】
前記データ交換カードアプリケーションが、通貨の両替処理を行い両替処理履歴を記録する両替機能を備え、
前記カードアプリケーションとして、複数種類の通貨の電子マネーを管理するマルチ電子マネーカードアプリケーションと、複数種類の通貨の電子トラベラーズチェックを管理するマルチ電子トラベラーズチェックカードアプリケーションとを備え、
前記データ交換カードアプリケーションは、前記マルチ電子マネーカードアプリケーション用の前記カードアプリケーションプラグインデータに基づき、前記マルチ電子マネーカードアプリケーション用の前記認証鍵データを用いて前記マルチ電子マネーカードアプリケーションと通信し、
さらに、前記マルチ電子トラベラーズチェックカードアプリケーション用の前記カードアプリケーションプラグインデータに基づき、前記マルチ電子トラベラーズチェックカードアプリケーション用の前記認証鍵データを用いて前記マルチ電子トラベラーズチェックカードアプリケーションと通信し、前記マルチ電子マネーカードアプリケーション及びマルチ電子トラベラーズチェックカードアプリケーションとデータ交換して、前記データ交換カードアプリケーションが管理する為替レートと手数料とに基づいて、複数の通貨の両替及び電子マネーと電子トラベラーズチェックとの交換を行うことを特徴とする請求項４に記載のセキュアデバイス。
【請求項１６】
前記データ交換カードアプリケーションが管理するセキュアフラッシュメモリ領域を備え、
前記カードアプリケーションプラグインデータと前記認証鍵データとを前記セキュアフラッシュメモリ領域に格納して、前記データ交換カードアプリケーションが、対応するカードアプリケーションごとに管理することを特徴とする請求項１から請求項１５のいずれかに記載のセキュアデバイス。
【請求項１７】
カードアプリケーションと、
他のカードアプリケーションとの間でデータ交換を行うデータ交換カードアプリケーションとを備え、前記カードアプリケーションと前記データ交換カードアプリケーションとがファイヤーウォールによって隔絶されたセキュアデバイスを具備し、
前記セキュアデバイスが、前記カードアプリケーションと前記データ交換カードアプリケーションとの間の認証処理とデータ通信処理とが、それぞれ、前記カードアプリケーションと専用ホスト端末との間の認証処理とデータ通信処理と同様に行われるように、前記データ交換カードアプリケーションが行う認証処理とデータ通信処理を規定するカードアプリケーションプラグインデータと、
前記認証処理に用いる認証鍵データと
を備え、
前記データ交換カードアプリケーションが前記カードアプリケーションとの間でデータ交換を行うことを特徴とする携帯端末。
【請求項１８】
前記携帯端末が仲介端末アプリケーションをさらに備え、
前記仲介端末アプリケーションがロードして、前記カードアプリケーションにアクセスし、前記データ交換を仲介する端末アプリケーションプラグインデータを前記セキュアデバイスが備え、
前記データ交換カードアプリケーションが、前記端末アプリケーションプラグインデータを前記仲介端末アプリケーションへ送信する
ことを特徴とする請求項１７に記載の携帯端末。
【請求項１９】
前記セキュアデバイスの前記カードアプリケーションがシェアラブル・インターフェイスを具備し、前記シェアラブル・インターフェイスは、前記カードアプリケーションに対してセキュアデバイスのホストインターフェイスを介して入力されるコマンドと同様の機能を提供し、前記データ交換カードアプリケーションが、前記シェアラブル・インターフェイスを介して前記カードアプリケーションとデータ交換を行うことを特徴とする請求項１７に記載の携帯端末。
【請求項２０】
前記セキュアデバイスが前記カードアプリケーションを複数備えており、それぞれのカードアプリケーションに応じた前記カードアプリケーションプラグインデータ及び認証鍵データをセキュアデバイスが備えていることを特徴とする請求項１７に記載の携帯端末。
【請求項２１】
前記セキュアデバイスが第１の前記カードアプリケーションと第２の前記カードアプリケーションとを備え、
さらに、それぞれのカードアプリケーションに応じた前記カードアプリケーションプラグインデータ及び認証鍵データを備え、
前記データ交換カードアプリケーションが、第１の前記カードアプリケーションとの間のデータ交換に続き、第２の前記カードアプリケーションとの間のデータ交換を行うことにより、第１の前記カードアプリケーションと第２の前記カードアプリケーションとの間のデータ交換を行うことを特徴とする請求項１７に記載の携帯端末。
【請求項２２】
カードアプリケーションと、
他のカードアプリケーションとの間でデータ交換を行うデータ交換カードアプリケーションとを備え、前記カードアプリケーションと前記データ交換カードアプリケーションとがファイヤーウォールによって隔絶されたセキュアデバイスを具備し、
前記携帯端末が前記カードアプリケーション用の前記データ交換カードアプリケーションが行う認証処理とデータ通信処理を規定するカードアプリケーションプラグインデータと前記認証処理に用いる認証鍵データとを、前記データ交換カードアプリケーションにダウンロードすると、
前記データ交換カードアプリケーションが前記カードアプリケーションとの間で前記カードアプリケーションと専用ホスト端末とが行う認証処理とデータ通信処理と同様の処理を行い、前記カードアプリケーションとの間でデータ交換を行うことを特徴とする携帯端末。
【請求項２３】
他のセキュアデバイスのカードアプリケーションとの間でデータ交換を行うデータ交換カードアプリケーションを備えた第１のセキュアデバイスと、
１つ以上のカードアプリケーションを備えた第２のセキュアデバイスとを具備し、
前記第２のセキュアデバイスのカードアプリケーションと前記第１のセキュアデバイスのデータ交換カードアプリケーションとの間の認証処理とデータ通信処理とが、それぞれ、前記第２のセキュアデバイスのカードアプリケーションと専用ホスト端末との間の認証処理とデータ通信処理と同様に行われるように、前記データ交換カードアプリケーションが行う認証処理とデータ通信処理を規定するカードアプリケーションプラグインデータと、
前記認証処理に用いる認証鍵データと
を前記第１のセキュアデバイスが備え、
前記データ交換カードアプリケーションが前記第２のセキュアデバイスのカードアプリケーションとの間でデータ交換を行うことを特徴とする携帯端末。
【請求項２４】
前記携帯端末が仲介端末アプリケーションをさらに備え、
前記仲介端末アプリケーションがロードして、前記カードアプリケーションにアクセスし、前記データ交換を仲介する端末アプリケーションプラグインデータを前記第１のセキュアデバイスが備え、
前記第１のセキュアデバイスが、前記端末アプリケーションプラグインデータを前記仲介端末アプリケーションへ送信する
ことを特徴とする請求項２３に記載の携帯端末。
【請求項２５】
前記携帯端末が、１つ以上のカードアプリケーションを備えた第３のセキュアデバイスを具備し、
前記第１のセキュアデバイスが、
前記第２のセキュアデバイスのカードアプリケーションに応じた前記カードアプリケーションプラグインデータ及び認証鍵データと、
前記第３のセキュアデバイスのカードアプリケーションに応じた前記カードアプリケーションプラグインデータ及び認証鍵データとを備え、
前記データ交換カードアプリケーションが、前記第２のセキュアデバイスのカードアプリケーションとの間のデータ交換に続き、前記第３のセキュアデバイスのカードアプリケーションとの間のデータ交換を行うことにより、前記第２のセキュアデバイスのカードアプリケーションと前記第３のセキュアデバイスのカードアプリケーションとの間のデータ交換を行うことを特徴とする請求項２３に記載の携帯端末。
【請求項２６】
他のセキュアデバイスのカードアプリケーションとの間でデータ交換を行うデータ交換カードアプリケーションを備えた第１のセキュアデバイスと、
１つ以上のカードアプリケーションを備えた第２のセキュアデバイスとを具備する携帯端末において、
前記第２のセキュアデバイスのカードアプリケーションと前記データ交換カードアプリケーションとの間の認証処理及びデータ通信処理を規定するカードアプリケーションプラグインデータと前記認証処理に用いる認証鍵データとを前記第１のセキュアデバイスのデータ交換カードアプリケーションにダウンロードすると、前記データ交換カードアプリケーションが、前記第２のセキュアデバイスのカードアプリケーションとの間で、前記第２のセキュアデバイスのカードアプリケーションと専用ホスト端末とが行う認証処理及びデータ通信処理と同様の処理を行い、前記第２のセキュアデバイスのカードアプリケーションとの間でデータ交換を行うことを特徴とする携帯端末。
【請求項２７】
前記セキュアデバイスのデータ交換カードアプリケーションがポイントと前記ポイントの交換処理履歴とを記録するマイレージポイント機能を備え、
前記セキュアデバイスのカードアプリケーションとして、電子乗車券情報と改札履歴とを記録する電子乗車券カードアプリケーションを備え、
前記セキュアデバイスのデータ交換カードアプリケーションは、前記電子乗車券カードアプリケーション用の前記カードアプリケーションプラグインデータに基づき、前記電子乗車券カードアプリケーション用の前記認証鍵データを用いて前記電子乗車券カードアプリケーションと通信し、前記電子乗車券カードアプリケーションから改札履歴のデータを取得して、乗車距離に応じたポイントを算出することを特徴とする請求項１７に記載の携帯端末。
【請求項２８】
前記セキュアデバイスのデータ交換カードアプリケーションがポイントと前記ポイントの交換処理履歴とを記録するマイレージポイント機能を備え、
前記セキュアデバイスのカードアプリケーションとして、電子マネー残高を記録する電子マネーカードアプリケーションを備え、
前記データ交換カードアプリケーションは、前記電子マネーカードアプリケーション用の前記カードアプリケーションプラグインデータに基づき、前記電子マネーカードアプリケーション用の前記認証鍵データを用いて前記電子マネーカードアプリケーションと通信し、前記ポイントを電子マネーに変換して、前記電子マネーカードアプリケーションの電子マネー残高に加算することを特徴とする請求項１７に記載の携帯端末。
【請求項２９】
前記セキュアデバイスのデータ交換カードアプリケーションがポイントと前記ポイントの交換処理履歴とを記録するマイレージポイント機能を備え、
前記セキュアデバイスのカードアプリケーションとして、電子乗車券情報と改札履歴とを記録する電子乗車券カードアプリケーションと、電子マネー残高を記録する電子マネーカードアプリケーションとを備え、
前記セキュアデバイスのデータ交換カードアプリケーションは、前記電子乗車券カードアプリケーション用の前記カードアプリケーションプラグインデータに基づき、前記電子乗車券カードアプリケーション用の前記認証鍵データを用いて前記電子乗車券カードアプリケーションと通信し、前記乗車券カードアプリケーションから改札履歴のデータを取得して、乗車距離に応じたポイントを算出し、
さらに、前記電子マネーカードアプリケーション用の前記カードアプリケーションプラグインデータに基づき、前記電子マネーカードアプリケーション用の前記認証鍵データを用いて前記電子マネーカードアプリケーションと通信し、前記ポイントを電子マネーに変換して、前記電子マネーカードアプリケーションの電子マネー残高に加算することを特徴とする請求項２０に記載の携帯端末。
【請求項３０】
前記セキュアデバイスのデータ交換カードアプリケーションが、通貨の両替処理を行い両替処理履歴を記録する両替機能を備え、
前記セキュアデバイスのカードアプリケーションとして、複数種類の通貨の電子マネーを管理するマルチ電子マネーカードアプリケーションを備え、
前記セキュアデバイスのデータ交換カードアプリケーションは、前記マルチ電子マネーカードアプリケーション用の前記カードアプリケーションプラグインデータに基づき、前記マルチ電子マネーカードアプリケーション用の前記認証鍵データを用いて前記マルチ電子マネーカードアプリケーションと通信し、前記データ交換カードアプリケーションが管理する為替レートと手数料とに基づいて複数の通貨間の両替処理を行うことを特徴とする請求項１７に記載の携帯端末。
【請求項３１】
前記セキュアデバイスのデータ交換カードアプリケーションが、通貨の両替処理を行い両替処理履歴を記録する両替機能を備え、
前記セキュアデバイスのカードアプリケーションとして、複数種類の通貨の電子マネーを管理するマルチ電子マネーカードアプリケーションと、複数種類の通貨の電子トラベラーズチェックを管理するマルチ電子トラベラーズチェックカードアプリケーションとを備え、
前記セキュアデバイスのデータ交換カードアプリケーションは、前記マルチ電子マネーカードアプリケーション用の前記カードアプリケーションプラグインデータに基づき、前記マルチ電子マネーカードアプリケーション用の前記認証鍵データを用いて前記マルチ電子マネーカードアプリケーションと通信し、
さらに、前記マルチ電子トラベラーズチェックカードアプリケーション用の前記カードアプリケーションプラグインデータに基づき、前記マルチ電子トラベラーズチェックカードアプリケーション用の前記認証鍵データを用いて前記マルチ電子トラベラーズチェックカードアプリケーションと通信し、
前記マルチ電子マネーカードアプリケーション及びマルチ電子トラベラーズチェックカードアプリケーションとデータ交換して、前記データ交換カードアプリケーションが管理する為替レートと手数料とに基づいて、複数の通貨の両替及び電子マネーと電子トラベラーズチェックとの交換を行うことを特徴とする請求項２０に記載の携帯端末。
【請求項３２】
前記セキュアデバイスの中に前記データ交換カードアプリケーションが管理するセキュアフラッシュメモリ領域を備え、
前記カードアプリケーションプラグインデータと前記認証鍵データとを前記セキュアフラッシュメモリ領域に格納して、前記データ交換カードアプリケーションが、対応するカードアプリケーションごとに管理することを特徴とする請求項１７から請求項３１のいずれかに記載の携帯端末。
【請求項３３】
携帯端末が、カードアプリケーションと、
他のカードアプリケーションとの間でデータ交換を行うデータ交換カードアプリケーションとを備え、前記カードアプリケーションと前記データ交換カードアプリケーションとがファイヤーウォールによって隔絶されたセキュアデバイスを具備し、
前記セキュアデバイスが、前記カードアプリケーションと前記データ交換カードアプリケーションとの間の認証処理とデータ通信処理とが、それぞれ、前記カードアプリケーションと専用ホスト端末との間の認証処理とデータ通信処理と同様に行われるように、前記データ交換カードアプリケーションが行う認証処理とデータ通信処理を規定するカードアプリケーションプラグインデータと、
前記認証処理に用いる認証鍵データと
を備え、
ユーザの手動操作に基づき前記携帯端末から送信される命令、または、前記携帯端末から自動的に送信される命令によって、前記セキュアデバイスのデータ交換カードアプリケーションが前記カードアプリケーションプラグインデータと前記認証鍵データとを用いて、前記カードアプリケーションとの間でデータ交換を行うことを特徴とするカードアプリケーション間のデータ交換方式。
【手続補正２】
【補正対象書類名】明細書
【補正対象項目名】０００８
【補正方法】変更
【補正の内容】
【０００８】
本発明のセキュアデバイスは、カードアプリケーションと、前記カードアプリケーションとの間でデータ交換を行うデータ交換カードアプリケーションとを備えるセキュアデバイスであって、前記カードアプリケーションと前記データ交換カードアプリケーションはファイヤーウォールによって隔絶され、前記データ交換カードアプリケーションが、前記カードアプリケーションと前記データ交換カードアプリケーションとの間の相互認証とセッション鍵の交換処理と前記セッション鍵によって暗号化するデータ通信処理とが、それぞれ、前記カードアプリケーションと専用ホスト端末との間の認証処理とデータ通信処理と同様に行われるように、前記データ交換カードアプリケーションが行う認証処理とデータ通信処理を規定するカードアプリケーションプラグインデータと、前記認証処理に用いる認証鍵データとを備えることを特徴とする。
そのため、セキュアデバイスの内部で、あるいは、セキュアデバイスが装着された端末を仲介として、カードアプリケーション間のデータ交換が可能であり、迅速な処理ができる。また、カードアプリケーションは、従来の専用ホスト端末とのデータ交換と同じ動作を行うだけで足りる。
【手続補正３】
【補正対象書類名】明細書
【補正対象項目名】０００９
【補正方法】変更
【補正の内容】
【０００９】
また、本発明のセキュアデバイスでは、前記データ交換カードアプリケーションが、外部の仲介手段がロードして、前記カードアプリケーションにアクセスし、前記データ交換を仲介する端末アプリケーションプラグインデータをさらに備え、前記データ交換カードアプリケーションが、前記端末アプリケーションプラグインデータを前記仲介手段へ送信することを特徴とする。
このセキュアデバイスでは、セキュアデバイスが装着された端末のアプリケーションがその仲介手段として動作する。
【手続補正４】
【補正対象書類名】明細書
【補正対象項目名】００１３
【補正方法】変更
【補正の内容】
【００１３】
また、本発明のセキュアデバイスは、カードアプリケーションと、他のカードアプリケーションとの間でデータ交換を行うデータ交換カードアプリケーションとを備え、前記カードアプリケーションと前記データ交換カードアプリケーションとがファイヤーウォールによって隔絶されたセキュアデバイスにおいて、前記カードアプリケーション用の前記データ交換カードアプリケーションが行う認証処理とデータ通信処理を規定するカードアプリケーションプラグインデータと前記認証処理に用いる認証鍵データとを、前記データ交換カードアプリケーションにダウンロードすると、前記データ交換カードアプリケーションが前記カードアプリケーションとの間で前記カードアプリケーションと専用ホスト端末とが行う認証処理とデータ通信処理と同様の処理を行い、前記カードアプリケーションとの間でデータ交換を行うことを特徴とする。
このセキュアデバイスでは、既に利用しているカードアプリケーションに対して、新たな契約に基づいて、カードアプリケーションプラグインデータ及び認証鍵データだけをダウンロードして、データ交換を可能にするといった運用が可能である。
【手続補正５】
【補正対象書類名】明細書
【補正対象項目名】００１５
【補正方法】変更
【補正の内容】
【００１５】
また、本発明のセキュアデバイスは、前記データ交換カードアプリケーションが、外部の仲介手段がロードして、前記カードアプリケーションにアクセスし、前記データ交換を仲介する端末アプリケーションプラグインデータをさらに備え、前記データ交換カードアプリケーションが、前記端末アプリケーションプラグインデータを前記仲介手段へ送信することを特徴とする。
このセキュアデバイスでは、セキュアデバイスが装着された端末のアプリケーションがその仲介手段として動作する。
【手続補正６】
【補正対象書類名】明細書
【補正対象項目名】００２４
【補正方法】変更
【補正の内容】
【００２４】
本発明の携帯端末は、カードアプリケーションと、他のカードアプリケーションとの間でデータ交換を行うデータ交換カードアプリケーションとを備え、前記カードアプリケーションと前記データ交換カードアプリケーションとがファイヤーウォールによって隔絶されたセキュアデバイスを具備し、前記セキュアデバイスが、前記カードアプリケーションと前記データ交換カードアプリケーションとの間の認証処理とデータ通信処理とが、それぞれ、前記カードアプリケーションと専用ホスト端末との間の認証処理とデータ通信処理と同様に行われるように、前記データ交換カードアプリケーションが行う認証処理とデータ通信処理を規定するカードアプリケーションプラグインデータと、前記認証処理に用いる認証鍵データとを備え、前記データ交換カードアプリケーションが前記カードアプリケーションとの間でデータ交換を行うことを特徴とする。
そのため、セキュアデバイスの内部で、あるいは、携帯端末を仲介として、カードアプリケーション間のデータ交換が可能であり、迅速な処理ができる。
【手続補正７】
【補正対象書類名】明細書
【補正対象項目名】００２５
【補正方法】変更
【補正の内容】
【００２５】
また、本発明の携帯端末では、前記携帯端末が仲介端末アプリケーションをさらに備え、  前記仲介端末アプリケーションがロードして、前記カードアプリケーションにアクセスし、前記データ交換を仲介する端末アプリケーションプラグインデータを前記セキュアデバイスが備え、前記データ交換カードアプリケーションが、前記端末アプリケーションプラグインデータを前記仲介端末アプリケーションへ送信することを特徴とする。
この携帯端末では、カードアプリケーションの種類によって異なるプラグインデータを携帯端末が保持する必要がない。
【手続補正８】
【補正対象書類名】明細書
【補正対象項目名】００２９
【補正方法】変更
【補正の内容】
【００２９】
また、本発明の携帯端末は、カードアプリケーションと、他のカードアプリケーションとの間でデータ交換を行うデータ交換カードアプリケーションとを備え、前記カードアプリケーションと前記データ交換カードアプリケーションとがファイヤーウォールによって隔絶されたセキュアデバイスを具備し、前記携帯端末が前記カードアプリケーション用の前記データ交換カードアプリケーションが行う認証処理とデータ通信処理を規定するカードアプリケーションプラグインデータと前記認証処理に用いる認証鍵データとを、前記データ交換カードアプリケーションにダウンロードすると、前記データ交換カードアプリケーションが前記カードアプリケーションとの間で前記カードアプリケーションと専用ホスト端末とが行う認証処理とデータ通信処理と同様の処理を行い、前記カードアプリケーションとの間でデータ交換を行うことを特徴とする。
この携帯端末では、既に利用しているカードアプリケーションに対して、新たな契約に基づいて、カードアプリケーションプラグインデータ及び認証鍵データだけをダウンロードして、データ交換を可能にするといった運用が可能である。
【手続補正９】
【補正対象書類名】明細書
【補正対象項目名】００３０
【補正方法】変更
【補正の内容】
【００３０】
また、本発明の携帯端末は、他のセキュアデバイスのカードアプリケーションとの間でデータ交換を行うデータ交換カードアプリケーションを備えた第１のセキュアデバイスと、
１つ以上のカードアプリケーションを備えた第２のセキュアデバイスとを具備し、前記第２のセキュアデバイスのカードアプリケーションと前記第１のセキュアデバイスのデータ交換カードアプリケーションとの間の認証処理とデータ通信処理とが、それぞれ、前記第２のセキュアデバイスのカードアプリケーションと専用ホスト端末との間の認証処理とデータ通信処理と同様に行われるように、前記データ交換カードアプリケーションが行う認証処理とデータ通信処理を規定するカードアプリケーションプラグインデータと、前記認証処理に用いる認証鍵データとを前記第１のセキュアデバイスが備え、前記データ交換カードアプリケーションが前記第２のセキュアデバイスのカードアプリケーションとの間でデータ交換を行うことを特徴とする。
この携帯端末では、携帯端末を仲介として、異なるセキュアデバイスのカードアプリ間のデータ交換が可能であり、迅速な処理ができる。また、カードアプリケーションは、従来の専用ホスト端末とのデータ交換と同じ動作を行うだけで足りる。
【手続補正１０】
【補正対象書類名】明細書
【補正対象項目名】００３１
【補正方法】変更
【補正の内容】
【００３１】
また、本発明の携帯端末は、前記携帯端末が仲介端末アプリケーションをさらに備え、  前記仲介端末アプリケーションがロードして、前記カードアプリケーションにアクセスし、前記データ交換を仲介する端末アプリケーションプラグインデータを前記第１のセキュアデバイスが備え、前記第１のセキュアデバイスが、前記端末アプリケーションプラグインデータを前記仲介端末アプリケーションへ送信することを特徴とする。
この携帯端末では、携帯端末を仲介として、異なるセキュアデバイスのカードアプリ間のデータ交換が可能である。
【手続補正１１】
【補正対象書類名】明細書
【補正対象項目名】００４０
【補正方法】変更
【補正の内容】
【００４０】
本発明のカードアプリケーション間のデータ交換方式では、携帯端末が、カードアプリケーションと、他のカードアプリケーションとの間でデータ交換を行うデータ交換カードアプリケーションとを備え、前記カードアプリケーションと前記データ交換カードアプリケーションとがファイヤーウォールによって隔絶されたセキュアデバイスを具備し、前記セキュアデバイスが、前記カードアプリケーションと前記データ交換カードアプリケーションとの間の認証処理とデータ通信処理とが、それぞれ、前記カードアプリケーションと専用ホスト端末との間の認証処理とデータ通信処理と同様に行われるように、前記データ交換カードアプリケーションが行う認証処理とデータ通信処理を規定するカードアプリケーションプラグインデータと、前記認証処理に用いる認証鍵データとを備え、ユーザの手動操作に基づき前記携帯端末から送信される命令、または、前記携帯端末から自動的に送信される命令によって、前記セキュアデバイスのデータ交換カードアプリケーションが前記カードアプリケーションプラグインデータと前記認証鍵データとを用いて、前記カードアプリケーションとの間でデータ交換を行うことを特徴とする。
この方式では、セキュアデバイスの内部で、あるいは、セキュアデバイスが装着された携帯端末を仲介として、カードアプリケーション間のデータ交換が可能であり、迅速な処理ができる。また、カードアプリケーションは、従来の専用ホスト端末とのデータ交換と同じ動作を行うだけで足りる。